(57)【特許請求の範囲】
【請求項１】
田植機の走行機体後部に多条植え用の植付部を付設し、運転席１３周りのフロアやステップを構成する後部車体カバー２を車体フレーム３上に載置した構成において、
該後部車体カバー２の左右両側に延長ステップ１３０を配し、該延長ステップ１３０の周囲を囲むガイドフレーム１３５を設け、
該ガイドフレーム１３５を、リアフレーム１３５ａとサイドフレーム１３５ｂ・１３５ｂにより構成し、該リアフレーム１３５ａと、該サイドフレーム１３５ｂ・１３５ｂの後部を取り外し可能に構成し、該取り外した位置に、作業機を取付可能に構成したことを特徴とする田植機のステップ構造。
【請求項２】
請求項１記載の田植機のステップ構造において、該作業機を、植付け条数に合わせた施肥タンク６１とブロワ６４より構成される施肥部３６としたことを特徴とする田植機のステップ構造。
【請求項３】
請求項１記載の田植機のステップ構造において、後部車体カバー２と延長ステップ１３０とガイドフレーム１３５とを一体的に構成し、前記延長ステップ１３０に突設したステー１３２・１３３を、車体フレーム３側に載置固設したことを特徴とする田植機のステップ構造。
【請求項４】
請求項１記載の田植機のステップ構造において、該ガイドフレーム１３５の前後中途部を延長ステップ１３０より上方に配置して把手としたことを特徴とする田植機のステップ構造。
【請求項５】
請求項１記載の田植機のステップ構造において、前記サイドフレーム１３５ｂは前方の固定側フレーム１３５ｇと、後方の取り外しフレーム１３５ｈとに分割され、該取り外しフレーム１３５ｈは、取り外し後に上下方向の取付孔に下方から取付け可能としたことを特徴とする田植機のステップ構造。
【請求項６】
請求項１記載の田植機のステップ構造において、前記サイドフレーム１３５ｂは前方の固定側フレーム１３５ｇと、後方の取り外しフレーム１３５ｈとに分割され、該取り外しフレーム１３５ｈは、取り外し後に左右方向の取付孔に側方から取付け可能としたことを特徴とする田植機のステップ構造。
【請求項７】
請求項１記載の田植機のステップ構造において、前記延長ステップ１３０の前部より前下方に乗降用の補助ステップ１１を延設したことを特徴とする田植機のステップ構造。
【請求項８】
請求項１記載の田植機のステップ構造において、該延長ステップ１３０前部より前下方に配した補助ステップ１１を前方外側向きに配し、補助ステップ１１の外側端部を延長ステップ１３０の外側面より内側に配置したことを特徴とする田植機のステップ構造。
【発明の詳細な説明】
【０００１】
【発明の属する技術分野】
本発明は、８条植えや１０条植え等の多条田植機の運転席周りの車体カバー側方にステップを設けて作業スペースを拡大する構成に関する。
【０００２】
【従来の技術】
従来から、走行機体後方に植付部を付設し、走行機体後部上に空気圧送型の施肥機を搭載し、圃場に苗を植え付けると同時に肥料を圧送する田植機は公知となっている。
また、この田植機の車体カバーの中央上には、運転席が載置され、該運転席より前方にフロアが成形され、運転席より後方にフロアより一段高くした作業用ステップが成形されていた。該作業用ステップを踏み台にして、走行車後部に配置した施肥部に肥料を補充したり、苗載台に苗マットを苗継ぎしたりしていた。
【０００３】
【発明が解決しようとする課題】
しかし、前記肥料を圧送するためのブロワは施肥機端部に配設され、出っ張る構成となっていたので、移動時には障害物に当接するおそれがあり、機体側に収納する構成が望まれていた。また、８条用や１０条用の田植機においては、両端の条が遠く、前記車体カバーの作業用ステップから左右端部の苗載台に苗マットを補充するには無理な姿勢となり、作業者に負担がかかっていた。
【０００４】
【課題を解決するための手段】
本発明の解決しようとする課題は以上の如くであり、次に該課題を解決するための手段を説明する。
請求項１においては、田植機の走行機体後部に多条植え用の植付部を付設し、運転席１３周りのフロアやステップを構成する後部車体カバー２を車体フレーム３上に載置した構成において、該後部車体カバー２の左右両側に延長ステップ１３０を配し、該延長ステップ１３０の周囲を囲むガイドフレーム１３５を設け、該ガイドフレーム１３５を、リアフレーム１３５ａとサイドフレーム１３５ｂ・１３５ｂにより構成し、該リアフレーム１３５ａと、該サイドフレーム１３５ｂ・１３５ｂの後部を取り外し可能に構成し、該取り外した位置に、作業機を取付可能に構成したものである。
請求項２においては、請求項１記載の田植機のステップ構造において、該作業機を、植付け条数に合わせた施肥タンク６１とブロワ６４より構成される施肥部３６としたものである。
【０００５】
請求項３においては、請求項１記載の田植機のステップ構造において、後部車体カバー２と延長ステップ１３０とガイドフレーム１３５とを一体的に構成し、前記延長ステップ１３０に突設したステー１３２・１３３を、車体フレーム３側に載置固設したものである。
請求項４においては、請求項１記載の田植機のステップ構造において、該ガイドフレーム１３５の前後中途部を延長ステップ１３０より上方に配置して把手としたものである。
【０００６】
請求項５においては、請求項１記載の田植機のステップ構造において、前記サイドフレーム１３５ｂは前方の固定側フレーム１３５ｇと、後方の取り外しフレーム１３５ｈとに分割され、該取り外しフレーム１３５ｈは、取り外し後に上下方向の取付孔に下方から取付け可能としたものである。
請求項６においては、請求項１記載の田植機のステップ構造において、前記サイドフレーム１３５ｂは前方の固定側フレーム１３５ｇと、後方の取り外しフレーム１３５ｈとに分割され、該取り外しフレーム１３５ｈは、取り外し後に左右方向の取付孔に側方から取付け可能としたものである。
【０００７】
請求項７においては、請求項１記載の田植機のステップ構造において、前記延長ステップ１３０の前部より前下方に乗降用の補助ステップ１１を延設したものである。
請求項８においては、請求項１記載の田植機のステップ構造において、該延長ステップ１３０前部より前下方に配した補助ステップ１１を前方外側向きに配し、補助ステップ１１の外側端部を延長ステップ１３０の外側面より内側に配置したものである。
【０００８】
【発明の実施の形態】
次に、本発明の実施の形態を説明する。
図１は本発明の車体カバーを有する田植機の全体右側面図、図２は同じく平面図、図３は本発明の延長ステップを装着した車体カバーの斜視図、図４は延長ステップに装着した補助ステップの配置を示す平面図、図５は走行車後部に施肥機を搭載した田植機の全体左側面図、図６は本発明の分割した延長ステップを配した作業車の部分側面図、図７は分割可能な前部フレームを配した作業車の部分側面図、図８は取り外しフレームの支持構成を差し込み式にした側面図、図９は取り外しフレームの支持構成を示す側面図、図１０は差し込み式にした取り外しフレームの別の支持構成を示す側面図、図１１は取り外しフレームの別の支持構成を示す正面断面図、図１２は取り外しフレームの別形態の支持構成を示す側面図前部車体カバー後部を示す側面断面図、図１３は同じく取り外しフレームの支持構成を示す側面図である。
【０００９】
まず、八条植えの乗用田植機について図１、図２より全体構成から説明する。
オペレータ等が搭乗する走行機体１の、車体フレーム３の前部上方にエンジンＥを搭載し、該エンジンＥの動力をミッションケース４に伝え、該ミッションケース４よりフロントアクスルケース５及びリヤアクスルケース７に動力を伝えて、前輪６及び後輪８をそれぞれ駆動する構成としている。
そして、前記エンジンＥを覆うボンネット９の周りに前部車体カバー１２が形成され、該前部車体カバー１２の側部に予備苗載台１０・１０を配設し、前記ミッションケース４等を後部車体カバー２によって覆い、該後部車体カバー２中央上部に運転席１３を取り付け、該運転席１３の前方の前記ボンネット９後部に操向ハンドル１４を配設している。また、前記後輪８の外側には外側補助車輪１５０・１５０を装着可能としている。
【００１０】
また、植付け部１５は苗載台１６や複数の植付け爪１７等から構成されており、前高後低に配設した苗載台１６を下部レール及びガイドレール１９を介して植付けケース２０に左右往復摺動自在に支持させると共に、一方向に等速回転するロータリーケース２１を前記植付けケース２０に回転自在にさせ、該ロータリーケース２１の回転軸芯を中心にして対称位置に一対の爪ケース２２・２２を配設し、該爪ケース２２・２２の先端に植付け爪１７・１７を配置している。
【００１１】
また、前記植付けケース２０の前部はローリング支点軸２３を介して支持フレーム２４に支持され、トップリンク２５及びロワーリンク２６等のリンク機構２７を介して走行機体１後部に装着されている。前記植付け部１５は昇降シリンダ２８の伸縮によって昇降される。そして、前記苗載台１６から一株分の苗を植付け爪１７によって取り出し、連続的に苗植え作業を行う構成としている。
【００１２】
また、前記運転席１３等が設置された運転部には走行変速レバー２９、植付け昇降兼作業走行変速用副変速レバー３０、植付け感度調節レバー３１、主クラッチペダル３２、左右ブレーキペダル３３・３３、サイドクラッチペダル３９・３９が配設され、前記植付け部１５下部には均平用センタフロート３４、均平用サイドフロート３５が配設され、前記運転席１３後方には八条用の施肥部３６が配設されている。
【００１３】
前記苗載台１６は、図１、図２に示すように、左右最外端の各二条分の苗載台を分割して分割苗載台１６ａ・１６ａとし、機体中央の四条を固定側苗載台１６ｂとし、該固定側苗載台１６ｂの左右端部に並行折畳み機構３７を設け、前記分割苗載台１６ａ・１６ａと固定側苗載台１６ｂとを並行折畳み機構３７を介して連結し、固定側苗載台１６ｂの上方に略平行に分割苗載台１６ａ・１６ａを折畳み可能に構成している。
【００１４】
次に、前記前部車体カバー１２と後部車体カバー２の形状に付いて説明する。
前記前部車体カバー１２と後部車体カバー２とは、各々中空ブロー成形によって一体成形されている。図１〜図３に示すように、前記前部カバー１２は、左右中央部にボンネット９の配置される開口部が設けられ、その左右両側にフロア１２ａ・１２ａが形成されている。該フロア１２ａは前後途中部より後方側に傾斜面が形成され、フロア１２ａ後部をボンネット９後端部の直後方位置まで延出している。前記フロア１２ａの上面にはゴム製のプレートが貼設されている。
【００１５】
また、前記後部車体カバー２は、ボンネット９後部より、車体フレーム３の後端部まで延設されている。該後部車体カバー２は、前部は平状にフロア２ａが形成され、後部車体カバー２後部は上方に一段高く構成され、運転席載置部２ｂと作業用ステップ２ｃとが成形されている。該フロア２ａの上面にはゴム製のプレートが貼設されている。
【００１６】
更に、前記運転席載置部２ｂの左側には走行変速レバー２９のガイド溝２ｈが開口され、運転席載置部２ｂの右側に昇降兼作業走行変速用副変速レバー３０のガイド溝２ｉ等が開口されている。前記後部車体カバー２のフロア２ａ後端部から運転席載置部２ｂ前部若しくは作業用ステップ２ｃ前部にかけて傾斜状に前部壁２ｄが成形されている。
【００１７】
また、前記後部車体カバー２の左右両側に延長ステップ１３０が配設されている。該延長ステップ１３０は、後部車体カバー２の側面形状に沿って前後方向に長く形成されている。また、該延長ステップ１３０は、後部車体カバー２と同様に、前後中央部より前方と後方とを段差状に形成して形状を合わせている。
即ち、該延長ステップ１３０の前部は、フロア２ａ面と同一平面である拡大側フロア１３０ａが成形され、拡大側フロア１３０ａ前部をフロア２ａの前後途中位置まで伸延させている。また、前記延長ステップ１３０後部は、作業用ステップ２ｃ面と同一平面とする拡大側ステップ１３０ｂが形成されている。該拡大側ステップ１３０ｂ後部は、作業用ステップ２ｃ後端部よりさらに後方に伸延されている。更に、前記延長ステップ１３０の段差が成形される前後中央位置は、後部車体カバー２の前部壁２ｄに沿うように、傾斜壁１３０ｃが成形されている。更に、前記拡大側フロア１３０ａと拡大側ステップ１３０ｂとの上面には、滑り止め用の凸部が突出されている。
【００１８】
前記延長ステップ１３０は、車体フレーム３側に固設されるステー１３２・１３３に支持されている。前記ステー１３２は、後輪８上前方に横設され、ステー１３２端部が後輪８より側方に突出され、該ステー１３２端部に拡大側ステップ１３０ｂ下面が載置されている。前記ステー１３３は、前輪６と後輪８との間位置に横設され、ステー１３３端部を側上方に突出し、該ステー１３３の上部に傾斜壁１３０ｃ下面が固設され、ステー１３２・１３３によって延長ステップ１３０が支持されている。従って、前述したように、前記後部車体カバー２と、左右両側の延長ステップ１３０・１３０とが車体フレーム３側に個別に支持されている。
【００１９】
また、前記延長ステップ１３０の外側周囲に、本発明のガイドフレーム１３５が配置されてフレーム枠を形成すると共に、該ガイドフレーム１３５を用いて左右の延長ステップ１３０・１３０とを一体的に連結する構成している。
【００２０】
該ガイドフレーム１３５は、リアフレーム１３５ａとサイドフレーム１３５ｂ・１３５ｂからなり、パイプより構成したこのリアフレーム１３５ａとサイドフレーム１３５ｂ・１３５ｂを連結して、平面視略門型に一体的に成形し、該ガイドフレーム１３５の開放面を前方に向け、ガイドフレーム１３５の左右側部の内側に延長ステップ１３０・１３０を固設している。
但し、ガイドフレーム１３５は一本のパイプフレームで構成することもできる。
【００２１】
図１、図３に示すように、前記リアフレーム１３５ａは平面視コ字状に構成して、該リアフレーム１３５ｂの左右中央部より下方に支持フレーム１３８・１３８が垂設されて、該支持フレーム１３８・１３８の下端は前記車体フレーム３後部に固定される。該リアフレーム１３５ｂ下部の支持フレーム１３８・１３８両側に固定板１３７が固設され、該リアフレーム１３５ｂの前端の下面には固定板１３４が垂設されて、該固定板１３７・１３４の下部に後補強フレーム１３１ａが水平に固定される。こうして、リアフレーム１３５ａは延長ステップ１３０・１３０の後上方に平行に配置される。
【００２２】
前記サイドフレーム１３５ｂ・１３５ｂは左右対称に構成されるので、一方について説明する。該サイドフレーム１３５ｂの前部１３５ｄは、前記拡大側フロア１３０ａの形状に合わせて平面視「く」字状に形成され、該前部１３５ｄの前端部はフロア２ａ側部の前後途中位置に当接するように配設される。また、前記サイドフレーム１３５ｂの中途部は側面視「へ」字状に曲げられて、前記傾斜壁１３０ｃ側部に沿った形状としている。該サイドフレーム１３５ｂの後端を、延長ステップ１３０と平行に構成して前記リアフレーム１３５ａに連結されて一体的に構成され、該サイドフレーム１３５ｂの後端下面に固定板１３６が垂設され、その前方位置に支持軸１４３が上下方向に垂設されて、該固定板１３６と支持軸１４３下部に前補強フレーム１３１ｂが水平に固設され、サイドフレーム１３５ｂとリアフレーム１３５ａ、及び、後補強フレーム１３１ａと前補強フレーム１３１ｂがそれぞれ同一軸心上に連結する構成としている。
【００２３】
そして、該後補強フレーム１３１ａと前補強フレーム１３１ｂは前記拡大側ステップ１３０ｂの外側の側部と後部とに沿って配置され、該補強フレーム１３１とガイドフレーム１３５とによって、拡大側ステップ１３０ｂのフレーム枠が形成され、拡大側ステップ１３０ｂの剛性が高められている。
【００２４】
従って、前記固定板１３６・１３６と支持軸１４３・１４３とによって、ガイドフレーム１３５と拡大側ステップ１３０ｂ・１３０ｂとが連結され、左右両側の延長ステップ１３０・１３０が一体的に固設されるのである。更に、サイドフレーム１３５ｂとリアフレーム１３５ａを連結することによって、ガイドフレーム１３５が固定板１３６、支持軸１４３、固定板１３７、支持フレーム１３８を介して左右の前記延長ステップ１３０・１３０と車体フレーム３に支持され、剛性が高められるのである。そして、前記サイドフレーム１３５ｂは拡大側ステップ１３０ｂ面より上方に配設されているので、オペレータが、拡大側フロア１３０ａやフロア２ａに乗り降りする際に手摺りとして使用することができる。
【００２５】
次に、前記後部車体カバー２のフロア２ａ、若しくは延長ステップ１３０の拡大側フロア１３０ａへ乗り降りするための補助ステップ１１の配置構成について説明する。
図３、図４、図６に示すように、前記サイドフレーム１３５ｂの前部１３５ｄの、左右方向のフレームから連結板１４１・１４２を垂設し、該連結板１４１と連結板１４２下端との間に補助ステップ１１が固設されている。また、図６の側面図において図示する如く、前記補助ステップ１１後部の内側には補助板１４４が固設され、該補助板１４４を後上方に延出し、拡大側フロア１３０ａ下面に固設したブラケット１３９に固設され、補助ステップ１１の補強を行っている。
【００２６】
更に、該補助ステップ１１の最外側は、図４に示す平面視のように、延長ステップ１３０の最外側の延長線上より内側に配置されている。よって、前記補助ステップ１１は、機体の左右幅内に収められ、また、補助ステップ１１を前後斜めに配したことで、ステップの面積を大きくすることができ、機体の側方より搭乗するオペレータにとって、足をかけ易くしている。
【００２７】
また、図５、図６に示すように、前記後部車体カバー２後方で、左右の延長ステップ１３０・１３０の間位置に空気圧送型の施肥部３６を配設することができるようにしており、前記リアフレーム１３５ａ及び後補強フレーム１３１ａを外して、後部車体カバー２後方の車体フレーム３より支持フレーム６０を立設して、該支持フレーム６０上部に施肥部３６を固設する構成としている。
【００２８】
該施肥部３６は、植付け条数に合わせた数の施肥タンク６１と該施肥タンク６１に連結される施肥ホース６２が配置され、更に圧縮エアを吐出するための筒状のエアタンク６３、該エアタンク６３の右側端部に配してエアを圧送するためのブロワ６４等が配設される。前記エアタンク６３は左右方向に横設され、ガイドフレーム１３５と同一高さに配置され、左右外側の施肥タンク６１下方まで延出し、各施肥ホース６２に圧縮エアを吐出できるようにしている。前記施肥ホース６２下端は、均平用センタフロート３４や均平用サイドフロート３５・３５・・・に固設し、施肥ホース６２下端を圃場内に突入させている。
更に、前記ブロワ６４は内側端部が回動自在に枢支され、機体の収納時や移動時に左右内側にブロワ６４を回動して、機体の左右幅が狭められている。
【００２９】
更に、前記右側（本実施例では右側でありブロワ６４の配設した側）のサイドフレーム１３５ｂは後部の傾斜部分（ラインｂ）で前後に分割可能に構成して、取り外し可能に構成している。
即ち、図７〜図９に示すように、前記サイドフレーム１３５ｂは前方の固定側フレーム１３５ｇと、ラインｂより後方の取り外しフレーム１３５ｈとに分割され、該取り外しフレーム１３５ｈ下面には、前述した支持軸１４３と固定板１３６が固定され、該支持軸１４３下部にピン孔１４３ａが構成され、固定板１３６下面の前後中央位置にはネジ軸１４５が下方に突出されている。
一方、前記前補強フレーム１３１ｂの前端は、固定側フレーム１３５ｇに溶接等で固設され、前記支持軸１４３とネジ軸１４５との位置に合わせて上下方向に孔１３１ｃ・１３１ｂを開口して、支持軸１４３とネジ軸１４５を挿入し、支持軸１４３は抜け止め用のピンで固定し、ネジ軸１４５はナット１４８で固設するようにしている。
【００３０】
このような構成において、ブロワ６４を内側に回動させて収納するときには、前記支持軸１４３下端部の抜け止め用のピンを抜き取り、ネジ軸１４５下端部のナット１４８を外し、前記取り外しフレーム１３５ｈを上方に持ち上げると、支持軸１４３とネジ軸１４５とが前補強フレーム１３１ｂより抜脱され、取り外しフレーム１３５ｈが取り外される。
【００３１】
そして、図９に示すように、前記取り外しフレーム１３５ｈを前後及び上下逆向きとして、前補強フレーム１３１ｂ下方より、前記支持軸１４３を後方の孔１３１ｄ内に挿入し、前記ネジ軸１４５を前方の孔１３１ｃ下方より挿入し、支持軸１４３の上端部を抜け止め用のピンで抜け止めし、ネジ軸１４５上端をナット１４８で固定する。
よって、機体の移動時や格納時に前記取り外しフレーム１３５ｈが前補強フレーム１３１ｂ下方に位置し、ブロワ６４をガイドフレーム１３５と干渉させることなく、内側に回動させて、機体の左右幅を狭めることができる。
また、前記取り外しフレーム１３５ｈを下側に配置したときには、その後端は「へ」字状にまげられているので後輪８と干渉せず、後輪９の外側に外側補助輪１５０を固設しても、外側補助輪１５０と取り外しフレーム１３５ｈとが干渉することがない。
【００３２】
また、前記取り外しフレーム１３５ｈを用いて、延長ステップ１３０の幅をさらに側方に広げる構成にすることもできる。図１０、図１１に示すように、前記前補強フレーム１３１ｂの側面に、前記孔１３１ｃ・１３１ｄの位置と前または後にズラせて、間隔は同じとして左右方向に孔１３１ｅ・１３１ｆを開口し、該孔１３１ｅ・１３１ｆにそれぞれボス１５１・ボス１５２を嵌合している。
【００３３】
そして、取り外した前記取り外しフレーム１３５ｈの支持軸１４３とネジ軸１４５とを外側から水平方向にボス１５１・１５２に挿入し、抜け止め用のピンとナット１４８で固定することで、前記延長ステップ１３０より外側に水平方向に延長して取り外しフレーム１３５ｈが配され、荷物等を載置するスペースを設けることができる。
【００３４】
次に、前記取り外しフレーム１３５ｈの支持構成の別実施例について、図１２、図１３を用いて説明する。
前述した第一実施例と同様に、取り外しフレーム１３５ｈは、下方に支持軸１４３とネジ軸１４５とを突出し、該支持軸１４３とネジ軸１４５とが前補強フレーム１３１ｂ内に挿入され支持されている。さらにこの形態においては、取り外しフレーム１３５ｈを下方に回動自在に支持している。前記前補強フレーム１３１ｂ後部下部に固定部１５６が固設されている。該固定部１５６後面には、固定ピン１５８が挿入されるピン孔が開口されている。該固定ピン１５８は、軸径の異なる段差状に形成され、端部にノブが固設されている。また、前記固定側フレーム１３５ｇ後部に、水平後方に支点軸１５７が突出されている。
【００３５】
一方、前記取り外しフレーム１３５ｈの前部より下方に、回動アーム１５４を固設し、該回動アーム１５４を下方に突出している。該回動アーム１５４には、上下方向に長径を有する長孔１５４ａが開口され、該長孔１５４ａ内に、前記支持軸１５７が遊嵌されている。
【００３６】
更に、前記固定板１３６後部に係合アーム１５５が固設され、該係合アーム１５５を下方に突出し、固定部１５６後面の後方位置まで延出されている。前記係合アーム１５５には、上下方向に複数個の孔と、該孔を溝によって連通させた形状の長孔１５５ａが開口されている。該長孔１５５ａ内には、固定部１５６に挿入される固定ピン１５８の段差部が遊嵌されている。前記固定ピン１５８を固定部１５６に深く挿入すると、長孔１５５ａの孔内に固定ピン１５８が係合されている。固定ピン１５８を浅く挿入した状態にすると、固定ピン１５８と長孔１５５ａの孔との係合が外れ、取り外しフレーム１３５ｈを上下動させることができる。
【００３７】
このように構成したことによって、通常の作業時においては、前記前補強フレーム１３１ｂ上方に取り外しフレーム１３５ｈを配設し、該取り外しフレーム１３５ｈを機体への昇降時の把手として使用したり、延長ステップ１３０上で作業するオペレータの足元を保護するようにしている。
【００３８】
そして、田植機の作業を行わない移動時や格納時においてブロワ６４を機体内側に収納させる際には、先ず、固定ピン１５８を後ろ側に引いて、固定ピン１５８と係合アーム１５５との係合を外す。この次に、取り外しフレーム１３５ｈを上方に持ち上げると、取り外しフレーム１３５ｈ前部の回動アーム１５４が支点軸１５７に案内され、取り外しフレーム１３５ｈ後部の係合アーム１５５が固定ピン１５８に案内されながら、取り外しフレーム１３５ｈが上方に持ち上げられる。該取り外しフレーム１３５ｈが図１２の二点鎖線の１３５ｈ’に示すように位置すると、支持軸１４３・１４５が前補強フレーム１３１ｂより抜脱される。
【００３９】
そして、取り外しフレーム１３５ｈを支点軸１５７と固定ピン１５８とを中心に下方に回動させている。前記延長ステップ１３０の下方に回動した取り外しフレーム１３５ｈを上方に持ち上げ、係合アーム１５５の長孔１５５ａ内の適所位置と固定ピン１５８との位置を一致させている。
そして、固定ピン１５８を深く差し込んで、固定ピン１５８と係合アーム１５５とを係合させて、取り外しフレーム１３５ｈを前補強フレーム１３１ｂの下方位置に固定している。よって、前記固定ピン１５８の操作のみで取り外しフレーム１３５ｈが下方に回動され、延長ステップ１３０上部が開放され、ブロワ６４を機体内側に収納することができる。
【００４０】
【発明の効果】
本発明は以上の如く構成したので、次のような効果を奏するのである。
請求項１においては、田植機の走行機体後部に多条植え用の植付部を付設し、運転席１３周りのフロアやステップを構成する後部車体カバー２を車体フレーム３上に載置した構成において、該後部車体カバー２の左右両側に延長ステップ１３０を配し、該延長ステップ１３０の周囲を囲むガイドフレーム１３５を設け、該ガイドフレーム１３５を、リアフレーム１３５ａとサイドフレーム１３５ｂ・１３５ｂにより構成し、該リアフレーム１３５ａと、該サイドフレーム１３５ｂ・１３５ｂの後部を取り外し可能に構成し、該取り外した位置に、作業機を取付可能に構成したので、左右両側の延長ステップを固設した平面視略門型のガイドフレームの後部を、延長ステップの上方位置に配したことで、延長ステップ後部で、苗マットの供給作業等を行っているオペレータの足元が保護され、延長ステップ上で作業するオペレータにさらなる安心感がもたらせられる。
また、該サイドフレームの後部を取り外し可能にし、取り外しすることで、更に大きな作業機を配したり、サイドフレームより外側に突出した作業機を折り畳んで収納する際に、干渉することなくスムーズに収納することができる。
【００４１】
請求項２においては、請求項１記載の田植機のステップ構造において、該作業機を、植付け条数に合わせた施肥タンク６１とブロワ６４より構成される施肥部３６としたので、空気圧送型の施肥機を搭載した場合に、サイドフレームより外側に突出していた空気を施肥機に圧送するブロワを収納することができる。
【００４２】
請求項３においては、請求項１記載の田植機のステップ構造において、後部車体カバー２と延長ステップ１３０とガイドフレーム１３５とを一体的に構成し、前記延長ステップ１３０に突設したステー１３２・１３３を、車体フレーム３側に載置固設したので、後部車体カバーの左右両側に配した延長ステップと、後部車体カバーとが車体フレームに支持されており、平面視略門型のガイドフレームによって、左右の延長ステップを後部車体カバーを跨いで左右両側の延長ステップを固設しており、左右の延長ステップと後部車体カバーとに一体感を生じ、延長ステップ上で作業するオペレータが安心して苗マットの供給作業等を行うことができる。
【００４３】
請求項４においては、請求項１記載の田植機のステップ構造において、該ガイドフレーム１３５の前後中途部を延長ステップ１３０より上方に配置して把手としたので、平面視略門型のガイドフレームの前後途中部を延長ステップより上方に配して、その部分を機体への乗り降りにおける把手として使用することができ、乗降時のオペレータの負担を軽減することができる。
【００４４】
請求項５においては、請求項１記載の田植機のステップ構造において、前記サイドフレーム１３５ｂは前方の固定側フレーム１３５ｇと、後方の取り外しフレーム１３５ｈとに分割され、該取り外しフレーム１３５ｈは、取り外し後に上下方向の取付孔に下方から取付け可能としたので、サイドフレーム後部を延長ステップ上面に配置したり、延長ステップ下面に配置することができる。延長ステップ下面にサイドフレーム後部を配した状態にすることで、機体後部に配した作業機を折り畳み、機体の左右幅を狭めた状態にするこができ、機体を移動したり格納することが出来るのである。
【００４５】
請求項６においては、請求項１記載の田植機のステップ構造において、前記サイドフレーム１３５ｂは前方の固定側フレーム１３５ｇと、後方の取り外しフレーム１３５ｈとに分割され、該取り外しフレーム１３５ｈは、取り外し後に左右方向の取付孔に側方から取付け可能としたので、サイドフレーム後部を延長ステップに沿って水平方向に配置することができ、延長ステップの横幅をさらに大きくすることができ、荷物等を載置する空間を広くすることが出来るのである。
【００４６】
請求項７においては、請求項１記載の田植機のステップ構造において、前記延長ステップ１３０の前部より前下方に乗降用の補助ステップ１１を延設したので、該補助ステップを延長ステップに一体的に固設したことによって、延長ステップを取り外すと同時に、補助ステップも取り外すことができる。よって、メンテナンス作業時に、個別に補助ステップを取り外す必要がないので、組立を簡略化した構成となっている。
【００４７】
請求項８においては、請求項１記載の田植機のステップ構造において、該延長ステップ１３０前部より前下方に配した補助ステップ１１を前方外側向きに配し、補助ステップ１１の外側端部を延長ステップ１３０の外側面より内側に配置したので、機体の左右幅が広がることをできるだけ抑えた構成にして、補助ステップを前方外側向きに傾斜させて配しており、ステップとして使用するための十分な面積があるので、側方より乗降するオペレータによって、足をかけやすい構成とすることができたものである。
【図面の簡単な説明】
【図１】  本発明の車体カバーを有する田植機の全体右側面図である。
【図２】  同じく平面図である。
【図３】  本発明の延長ステップを装着した車体カバーの斜視図である。
【図４】  延長ステップに装着した補助ステップの配置を示す平面図である。
【図５】  走行機体後部に施肥機を搭載した田植機の全体左側面図である。
【図６】  本発明の分割した延長ステップを配した作業車の部分側面図である。
【図７】  分割可能な前部フレームを配した作業車の部分側面図である。
【図８】  取り外しフレームの支持構成を差し込み式にした側面図である。
【図９】  取り外しフレームの支持構成を示す側面図である。
【図１０】  差し込み式にした取り外しフレームの別の支持構成を示す側面図である。
【図１１】  取り外しフレームの別の支持構成を示す正面断面図である。
【図１２】  取り外しフレームの別形態の支持構成を示す側面である。
【図１３】  同じく取り外しフレームの支持構成を示す側面図である。
【符号の説明】
１  走行機体
２  後部車体カバー
２ａ  フロア
２ｃ  ステップ
３  車体フレーム
１１  補助ステップ
１２  前部車体カバー
１２ｃ  膨出部
１２ｅ  合わせ孔
１２ｄ  エア吹き込み口
１２ｍ  凸部
１２ｐ  補強部
１３  運転席
１５  植付け部
３６  施肥部
６３  エアタンク
６４  ブロア
１３０  延長ステップ
１３５  ガイドフレーム
１３５ａ  リアフレーム
１３５ｂ  サイドフレーム
１３５ｆ  取り外しフレーム
１４３・１４５  支持軸
１３１ｃ・１３１ｄ  孔
１３１ｅ・１３１ｆ  孔
【図１】
0003734603.tif 000002
【図２】
0003734603.tif 000003
【図３】
0003734603.tif 000004
【図４】
0003734603.tif 000005
【図５】
0003734603.tif 000006
【図６】
0003734603.tif 000007
【図７】
0003734603.tif 000008
【図８】
0003734603.tif 000009
【図９】
0003734603.tif 000010
【図１０】
0003734603.tif 000011
【図１１】
0003734603.tif 000012
【図１２】
0003734603.tif 000013
【図１３】
0003734603.tif 000014